(57)【特許請求の範囲】
【請求項１】
雌ねじ穴が形成されたインサート本体と、
前記雌ねじ穴に連通する連通孔が形成されたスリーブと、
前記スリーブの開口端部に設けられたシール部と、
を備えたインサートをコンクリート構造物に埋設する際に型枠に取り付ける治具であって、
前記インサートの雌ねじ穴に螺入する雄ねじ部を一端側に備え、
前記型枠に形成された取付孔の内周に圧着する圧着手段を他端部側に備え、
前記シール部に内接する環状突出部を前記両端部間に備える
ことを特徴とするインサートの取付用治具。
【請求項２】
前記圧着手段は、前記他端側の外周に螺旋状に形成された弾性変形可能なヒダ部により構成されている
ことを特徴とする請求項１記載のインサートの取付用治具。
【請求項３】
前記ヒダ部は、前記取付孔の内周に圧着して前記インサート側への引き抜きに抵抗を生じさせる
ことを特徴とする請求項２記載のインサートの取付用治具。
【請求項４】
前記ヒダ部は、前記取付孔への圧入方向側を傾斜面としたテーパが施されていることを特徴とする請求項２または３のいずれか１項に記載のインサートの取付用治具。
【請求項５】
前記ヒダ部の前記型枠を乗り越えた部分が、前記型枠の外面に係止することを特徴とする請求項２〜４のいずれか１項に記載のインサートの取付用治具。
【請求項６】
前記ヒダ部は、軸方向のスリットにより複数のヒダ群に分割され、
いずれかのヒダ群の前記型枠を乗り越えたヒダが、前記型枠の外面に係止することを特徴とする請求項２〜４のいずれか１項に記載のインサートの取付用治具。
【請求項７】
前記他端側には、工具を用いて回転させることが可能な頭部が形成され、
前記頭部を一方向に回転させれば、前記雄ねじ部が前記雌ねじ穴から螺出可能なことを特徴とする請求項１〜６のいずれか１項に記載のインサートの取付用治具。
【発明の詳細な説明】
【技術分野】
【０００１】
本発明は、被固定部材を固定するインサートをコンクリート構造物に埋設する際に型枠に取り付ける治具に関する。
【背景技術】
【０００２】
周知のようにコンクリート構造物、例えばトンネルやボックスカルバートのコンクリート壁・天井などにはセラミック製のインサートが埋設され、該インサートに所望の被固定部材が締結されている。
【０００３】
このインサートは、あらかじめコンクリート打設前に型枠の内側に取り付けられている。このとき一般的なインサートは、軸方向に形成された雌ねじ孔に固定用ボルトを螺入させて型枠に取り付けられている。
【０００４】
この作業工程を説明すれば、まず二人の作業員のうち一方が型枠の内側に入ってインサートを持って型枠の取付孔と前記雌ねじ孔の位置を合わせる。つぎに型枠の外側に居る他方の作業員が、取付孔を介して固定用ボルトを雌ねじ孔に螺入させてインサートを型枠に片持ち状に取り付ける。
【０００５】
その後に型枠内にコンクリートを打設し、コンクリート硬化後に固定用ボルトを取り外してインサートをコンクリートに埋設させる。ここで埋設されたインサートの雌ねじ孔には、例えば足場用の支持ボルトや天井の吊りボルトなどの被固定部材が締結されている。
【０００６】
ところが、従来の固定用ボルトを用いる場合には、施工時に必ず二人の作業員が必要なため、一人の作業員では施工できず、作業員の配置効率などに改善の余地があり、この点を改善すべく特許文献１のインサートが提案されている。
【０００７】
図６に基づき概略を説明すれば、インサート１は、雌ねじ孔２を有するインサート本体３と、雌ねじ孔２に連通する連通孔４ａ，４ｂが軸方向に形成されたスリーブ５ａ，５ｂとを備え、プラスチックホルダ（取付用治具）８により型枠６に着脱自在に取り付けられている。このプラスチックホルダ８は、一端部の雄ねじ部９と他端部のストッパー１０とを備え、ストッパー１０は弾性変形自在な一対のストッパー片１０ａを備えている。
【０００８】
そして、雄ねじ部９を連通孔４ａ，４ｂに通して雌ねじ孔２に螺入させた後にストッパー１０を取付孔７に挿通する。このときストッパー片１０ａの先端部が型枠６の外面に当接し、プラスチックホルダ８の抜け止めとなってインサート１が型枠６に取り付けられる。その後に型枠６内にコンクリートを打設し、コンクリート乾燥後に工具によりプラスチックホルダ８を回転させて両者２，９の締結を緩め、プラスチックホルダ８を取り外す。
【先行技術文献】
【特許文献】
【０００９】
【特許文献１】特開２００３−２７５９７
【発明の概要】
【発明が解決しようとする課題】
【００１０】
確かにプラスチックホルダ８によれば、型枠６の内側からストッパー１０を取付孔７に挿通すればよいので、作業員一人でインサート１を型枠６に取り付けることは可能である。
【００１１】
しかしながら、プラスチックホルダ８は、型枠６の厚さがストッパー片１０ａとスリーブ５ｂ間の距離よりも大きいと、インサート１を型枠に取り付けることができない。一方、型枠６の厚さが前記距離よりも小さいと、型枠６がぐらつき不安定となり易く、またコンクリートノロ（液状コンクリート）が連通孔４ａ，４ｂや雌ねじ孔２に侵入し、損傷を与えるおそれもある。
【００１２】
そのため、型枠６にインサート１を取り付ける際は、雄ねじ部９の雌ねじ孔２に対する螺入量を増減させて前記距離を調整しなければならない。これでは作業工程が増加し、却って作業効率悪化の一因となるおそれがある。
【００１３】
本発明は、このような問題を解決するためになされ、コンクリート構造物にインサートを埋設する際、取付用治具のインサートへの螺入量を調整することなく、作業員一人でインサートを型枠に取り付け可能な治具の提供を解決課題としている。
【課題を解決するための手段】
【００１４】
本発明は、被固定部材が固定されるインサートをコンクリート構造物に埋設する際に該インサートを型枠に取り付ける治具であって、前記インサートの雌ねじ部に螺入する雄ねじ部を一端側に備え、前記型枠に形成された取付孔の内周に圧着する圧着手段を他端側に備えることを特徴とする。
【００１５】
前記圧着手段の一態様としては、前記他端側の外周に螺旋状に形成された弾性変形可能なヒダ部により構成することができる。このヒダ部は、例えば前記取付孔の内周に圧着して前記インサート側への引き抜きに抵抗を生じさせ、あるいは前記取付孔への圧入方向側を傾斜面としたテーパを施してもよい。
【００１６】
また、前記ヒダ部の前記型枠を乗り越えた部分が前記型枠の外面に係止してもよく、あるいは軸方向のスリットにより複数のヒダ群に分割してもよい。この分割された場合には、いずれかのヒダ群の前記型枠を乗り越えたヒダが前記型枠の外面に係止すればよい。
【００１７】
さらに前記インサートが、前記雌ねじ部として雌ねじ穴が形成されたインサート本体と、前記雌ねじ穴に連通する連通孔が形成されたスリーブと、該スリーブの開口端部に固着されたシール部とを備えている場合、前記シール部に内接する環状突出部を設けることが好ましい。
【００１８】
なお、前記他端側には、工具を用いて回転させることが可能な頭部を形成してもよい。この場合には前記頭部を一方向に回転させれば、前記雄ねじ部が前記雌ねじ部から螺出させることができる。
【発明の効果】
【００１９】
本発明によれば、コンクリート構造物にインサートを埋設する際、取付用治具のインサートへの螺入量を調整することなく、作業員一人でインサートを型枠に取り付けることができる。
【図面の簡単な説明】
【００２０】
【図１】本発明の実施形態に係る取付用治具を用いてインサートを型枠に取り付けた状態を示す縦断面図。
【図２】（ａ）は同取付用治具の側面図、（ｂ）は（ａ）のＡ−Ａ断面図。
【図３】（ａ）は同取付用治具をインサートに螺入させる作業工程を示す縦断面図、（ｂ）は同取付用治具を装着したインサートを型枠（９ｍｍ厚）に取り付ける作業工程を示す縦断面図、（ｃ）は（ｂ）の作業工程が完了した状態を示す縦断面図、（ｄ）はコンクリート打設後の同取付用治具とインサートと型枠との状態を示す縦断面図、（ｅ）はソケットレンチで同取付用治具とインサートとの締結を緩める作業工程を示す一部縦断面図、（ｆ）は同取付用治具が外れる状態を示す縦断面図。
【図４】図３（ｃ）中のＣ部拡大図。
【図５】（ａ）は同取付用治具をインサートに装着して１２ｍｍ厚の型枠に取り付けた状態の縦断面図、（ｂ）は同６ｍｍ厚の型枠に取り付けた状態の縦断面図。
【図６】特許文献１のインサートの縦断面図。
【発明を実施するための形態】
【００２１】
以下、本発明の実施形態に係るインサートの取付用治具を説明する。このインサートは、例えば橋の橋脚などのコンクリート構造物に埋設され、足場用の支持ボルトなどの被固定部材をコンクリート構造物に固定するために用いられる。
【００２２】
≪構成例≫
図１および図２に基づき前記取付用治具の構成例を説明する。この取付用治具１１は、略筒状に形成され、図１に示すように、セラミック製のインサート１２をコンクリート構造物に埋設する際、金属製の型枠１３にインサート１２を着脱自在に取り付けている。
【００２３】
このインサート１２は、雌ねじ穴１５が形成された卵形のインサート本体１４と、雌ねじ穴１５に連通する連通孔１６が内部の軸方向に形成された管状のスリーブ１７と、スリーブ１７の開口端部に接着などで固着された環状のシール部（例えばゴムシールなど）１９とを有している。また、型枠１３には、取付孔１８が貫通形成され、取付孔１８の内周縁にシール部１９が圧接している。
【００２４】
取付用治具１１は、雌ねじ穴１５に螺入する一端側の雄ねじ部２０と、取付孔１８に圧入される他端側の弾性変形可能なヒダ部２１と、両者２０，２１間の中間部２２と、前記他端側の先端に頭部として形成された六角部２４とを有している。また、取付用治具１１は、例えばナイロン系などの樹脂製が好ましく、靱性があり撓むものであれば、材料は特に限定されない。
【００２５】
ヒダ部２１は、前記他端部側の外周面に雄ねじ部２０と異なるピッチの螺旋状に形成され、周方向９０度の位置にそれぞれ形成された各スリット２５により４つのヒダ２１ａ群に分割され、各ヒダ２１ａが撓み易くなっている。このヒダ２１ａ群の長さは型枠１３の厚さよりも大きく設定され、ヒダ２１ａが軸方向に沿って次々に配置されている。
【００２６】
この各ヒダ２１ａは、図２（ａ）（ｂ）に示すように、圧入方向Ｐ側を傾斜面としたテーパが施され、弾性変形により圧入方向Ｐと反対方向に撓み易くなっている。なお、中間部２２のヒダ２１ａ群側の外周にはシール部１９に内接する一対の環状突出部２３が形成されている一方、六角部２４はソケットレンチＳのレンチ部Ｌに嵌合可能となっている。
【００２７】
≪インサートの埋設方法≫
図３および図４に基づき取付治具１１を用いたインサート１１の埋設方法を説明する。ここでは一例として型枠１３に埋設型枠（コンクリートと一体として取り外されない型枠）を使用し、ボックスカルバートなどのコンクリート構造物を製作する際の埋設方法を説明する。
【００２８】
この場合にインサート１２は、次の作業工程（１）〜（４）を経てコンクリート２７に埋設される。なお、図３および図４の取付例では、９ｍｍ厚の型枠１３が用いられているものとする。
【００２９】
（１）型枠１３の内側において取付用治具１１をインサート１２に装着する。この装着に際しては、図３（ａ）に示すように、スリーブ１７の連通孔１６に取付用治具１１の雄ねじ部２０を対向させる。
【００３０】
この状態のまま取付用治具１１の雄ねじ部２０を連通孔１６に挿通し、その後に取付用治具１１を矢印Ｘ方向に回転させて、雄ねじ部２０を雌ねじ穴１５に螺入させる。これにより雄ねじ部２０が雌ねじ穴１５に締結され、取付用治具１１がインサート本体１４に固定される。
【００３１】
（２）取付治具１１を装着したインサート１２を型枠１３に取り付ける。この取り付けに際しては、図３（ｂ）に示すように、取付用治具１１の六角部２４を型枠１３の取付孔１８に対向させる。
【００３２】
この状態のままインサート１２を矢印Ｙ方向に回転させてヒダ部２１の形成された取付用治具１１の他端側を取付孔１８にねじ込む。このとき取付用治具１１の他端側の外径は取付孔１８の内径よりも若干大きいものの、弾性変形により各ヒダ２１ａが圧入方向Ｐと反対方向に撓むため、取付孔１８に簡単にねじ込むことができる。この作業工程により、図３（ｃ）に示すように、ヒダ部２１の形成された他端側が取付孔１８に圧入され、六角部２４が取付孔１８から型枠１３の外側に露呈する。
【００３３】
図４に基づき前記圧入後の状態を説明する。図４のヒダ２１ａ群中、環状突出部２３側の最上段〜第４段のヒダ２１ａは取付孔１８内に配置されている。このうち第２段〜第４段のヒダ２１ａは取付孔１８の内周面に圧接し、取付用治具１１の圧入方向Ｐの反対方向（インサート１２側の方向）への引き抜きに対する抵抗を生じさせている。
【００３４】
また、第５段のヒダ２１ａは、型枠１３を乗り越えて同方向への抜け止め用ストッパーとして型枠１３の外面に係止している。このときヒダ部２１はスリット２５で分割されているため、ヒダ２１ａの単位で容易に型枠１３を乗り越えて係止することができる。
【００３５】
ただし、図４では第５段のヒダ２１ａが係止しているものの、規格や寸法誤差などで型枠１３の厚さが相違する場合、あるいは取付用治具１１に寸法誤差などがある場合には、他の位置のヒダ２１ａが係止する。このときヒダ部２１は螺旋状なため、いずれかのヒダ２１ａ群のヒダ２１ａが係止することとなる。
【００３６】
図５に基づき一例を説明する。まず、図５（ａ）に基づき１２ｍｍ厚の型枠１３に取付用治具１１を取り付けた場合を説明する。ここでは図５（ａ）のＦ側に表されたヒダ２１ａ群の前記圧入後の状態を説明する。この場合には環状突出部２３側の最上段〜第５段のヒダ２１ａが取付孔１８の内周面に圧着する一方、第６段のヒダ２１ａがストッパーとして型枠１３の外面に係止している。
【００３７】
つぎに図５（ｂ）に基づき６ｍｍ厚の型枠１３に取付用治具１１を取り付けた場合を説明する。ここでは図５（ｂ）中のＦ側に表されたヒダ２１ａ群の前記圧入後の状態を説明する。この場合には環状突出部２３側の最上段および第２段のヒダ２１ａが取付孔１８の内周面に圧着する一方、第３段のヒダ２１ａがストッパーとして型枠１３の外面に係止している。
【００３８】
そうすると、特許文献１のように雄ねじ部２０の螺入量を調整することなく、インサート１２を回転させてヒダ部２１の形成された他端側を取付孔１８にねじ込むだけで型枠１３に取り付けることができる。
【００３９】
したがって、一人の作業員でインサート１２を型枠１３に簡単に取り付けることができ、この点でインサート１２の埋設作業の作業工程が簡素化され、作業効率が改善される。また、型枠１３への取付後は、両環状突出部２３がシール部１９に内接して支持するため、インサート１２の姿勢が安定する。
【００４０】
（３）図３（ｄ）に示すように、型枠１３の内側にコンクリート２７を流し込んでコンクリート打設する。ここで連通孔１６および雌ねじ穴１５は、シール部１９にシールされ、さらに両環状突出部２３がシール部１９に内接して二重にシールされている。この点でコンクリートノロ（液状コンクリート）の侵入を確実に阻止でき、両者１５，１６の損傷が防止されている。
【００４１】
（４）コンクリート２７の乾燥後は、型枠１３の外側において取付用治具１１を取り外す作業を行う。すなわち、六角部２４にソケットレンチＳのレンチ部Ｌの先端を嵌合させ、ソケットレンチＳを図３（ｅ）の矢印Ｚ方向に回転させる。
【００４２】
これにより図３（ｆ）に示すように、雄ねじ部２０が雌ねじ穴１５から螺出し、型枠１３を残したまま取付用治具１１が矢印Ｐ´方向（圧入方向Ｐと同方向）に取り外され、その結果、インサート１２がコンクリート２７に埋設される。
【００４３】
このとき取付孔１８の内周面に圧接するヒダ２１ａは、弾性変形により矢印Ｐ´方向と反対方向に撓むため、Ｐ´方向への引き抜きに抵抗が少なく、簡単に取付用治具１１を取り外すことができる。ここで取り外された使用済みの取付用治具１１は、再利用することができる。
【００４４】
その後、コンクリート２７に埋設されたインサート１２の雌ねじ穴１５に足場ボルトなどの被固定部材が締結され、これにより被固定部材がコンクリート２７に固定される。
【００４５】
なお、本発明は、上記実施形態に限定されることはなく、各請求項に記載された範囲内で変形して実施することができる。例えば前記埋設方法は、埋設型枠の使用に限定されず、コンクリート２７から取り外す通常の型枠も使用することができる。この場合にはコンクリート２７の打設後にソケットレンチＳを用いて取付用治具１１をインサート１２から取り外し、その後に型枠１３を外せばよい。
【００４６】
また、ヒダ部２１はスリット２５で分割することなく、螺旋状に巻回して形成してもよい。この場合、ヒダ部２１はスリット２５が無いため、取付孔１８の縁に当たってストレスが加わるものの、型枠１３を乗り越えた部分が抜け止め用ストッパーとして型枠１３の外面に係止することができる。
【符号の説明】
【００４７】
１１…インサートの取付用治具
１２…インサート
１３…型枠
１４…インサート本体
１５…雌ねじ穴（雌ねじ部）
１６…連通孔
１７…スリーブ
１８…取付孔
１９…シール部
２０…雄ねじ部
２１…ヒダ部（圧着手段）
２１ａ…ヒダ
２４…六角部（頭部）
２７…コンクリート（コンクリート構造物）
Ｓ…ソケットレンチ（工具）
【図１】
0006584152.tif 000002
【図２】
0006584152.tif 000003
【図３】
0006584152.tif 000004
【図４】
0006584152.tif 000005
【図５】
0006584152.tif 000006
【図６】
0006584152.tif 000007